(57)【要約】【課題】  主要な交換部品の積算使用時間を簡便に確認できる酸素濃縮器を提供する。【解決手段】  主要交換部品の積算使用時間を表示させるアワーメータ及び表示を切り替えるためのスイッチを備え、積算使用時間の確認を簡便に行える手段をもつことを特徴とする酸素濃縮器。【選択図】  図５
2006280471.tif 000002
【特許請求の範囲】
【請求項１】
積算使用時間を表示するアワーメータを備えた酸素濃縮装置において、該アワーメータが複数のカウンタ、表示切替器、表示器を備え、複数のカウンタに記憶された積算使用時間を表示切替器によって順次切り替え表示する機能を備えたことを特徴とする酸素濃縮装置。
【請求項２】
該カウンタが、酸素濃縮装置の総積算時間、積算使用時間、及び交換対象部品の積算使用時間を記憶する手段であることを特徴とする請求項１記載の酸素濃縮装置。
【請求項３】
該カウンタのうち、積算使用時間、及び交換対象部品の積算使用時間の少なくとも一部について、積算使用時間をリセットするリセットスイッチを備えることを特徴とする請求項１又は２に記載の酸素濃縮装置。
【請求項４】
該リセットスイッチの少なくとも一部について、リセット機能をブロックする手段を備えることを特徴とする請求項３記載の酸素濃縮装置。
【請求項５】
該リセットスイッチが、酸素濃縮装置の筐体内にあることを特徴とする請求項３または４に記載の酸素濃縮装置。
【請求項６】
該表示手段が、該カウンタの積算使用時間を識別する識別表示機能を備えたことを特徴とする請求項１記載の酸素濃縮装置。
【発明の詳細な説明】
【技術分野】
【０００１】
本発明は、空気中の酸素を分離し使用者に供給する酸素濃縮装置に関する。更に詳細には医療用として在宅で使用可能な酸素濃縮装置の保守点検に関するものである。
【背景技術】
【０００２】
酸素濃縮器の保守点検において、当該装置の積算使用時間を確認し、各種保守管理を実施することは重要であり、積算使用時間の確認の方法としては、当該装置に備えられたアワーメータを用いる方法、外部端末を用いて管理する方法（特許文献１、特許文献２）が広く用いられている。酸素濃縮器にアワーメータを備える場合、装置の生産後の稼働時間である総積算使用時間、使用者宅への設置後の積算使用時間を１個ないしは２個のアワーメータに表示させることが一般的である。定期交換もしくは整備が必要なコンプレッサ、吸着材等の主要部品の積算使用時間については、各主要部品に添付された点検表に記載の情報もしくは管理データのデータベースから得られる情報とアワーメータに表示される積算使用時間とを照合することにより確認することが可能である。外部端末を用いる場合は、装置内部のメモリに、主要部品の交換（整備）後の積算使用時間の算出に必要なデータを記憶させることにより、主要部品の積算使用時間を取り出すことができる。
【０００３】
【特許文献１】特開２００２−３０６６０１号公報
【特許文献２】特開平７−２２７５１６号公報
【発明の開示】
【発明が解決しようとする課題】
【０００４】
従来から用いられている点検表による交換対象部品の積算使用時間確認の場合、保守点検時の装置積算使用時間を基に、交換対象部品ごとに積算使用時間を算出することが必要となり、保守点検者の作業が煩雑となる。また、総積算使用時間、使用者宅への設置後の積算使用時間を表示させる場合、それぞれ個別のアワーメータを用いて表示させることが一般的であり、交換対象部品の積算使用時間についてはアワーメータを追加することにより表示させることは可能であるが、部品点数の削減やコスト削減の面からアワーメータは一個にすることが好ましい。
【０００５】
一方、外部端末で積算使用時間を計測することは可能であるが、かかる端末は一般的に高価であり、各作業者が各々携帯して使用することもコスト面から困難である。
【０００６】
本発明の目的は、安価かつ簡便に交換対象部品の積算使用時間の確認を行えるような酸素濃縮装置を提供することである。
【課題を解決するための手段】
【０００７】
本発明者は、かかる課題に対して鋭意検討した結果、以下の酸素濃縮装置を見出した。すなわち、本発明は、保守点検に必要な、装置の総積算使用時間、整備後の使用時間および主要交換対象部品の積算使用時間を順次、表示させる手段を有するアワーメータを備えることを特徴とする酸素濃縮装置を提供するものである。また本発明は、複数の積算使用時間を１個のアワーメータに表示させ、それらを識別するための表示手段を備えることを特徴とする酸素濃縮器を提供するものである。
【０００８】
また本発明は、主要な交換対象部品の積算使用時間を保守点検者がリセットすることを可能とする手段を備えることを特徴とする酸素濃縮器を提供するものである。また当該酸素濃縮装置の最終使用者がアワーメータのリセットスイッチを誤って操作することを防ぐ手段を備えること、保守点検者が行う整備対象の積算使用時間以外のリセット操作を防止するための機械的手段もしくは電気的手段を備えることを特徴とする酸素濃縮器を提供するものである。
【発明の効果】
【０００９】
本発明によれば、酸素濃縮装置の保守点検時に実施する装置の積算使用時間及び主要交換対象部品の積算使用時間の確認が簡便にでき、最終使用者および保守点検者の積算使用時間リセットの誤操作も防止できる。また、識別表示により複数の積算使用時間を１個のアワーメータで表示することを可能とする。
【発明を実施するための最良の形態】
【００１０】
本発明は、装置の積算使用時間をカウントするアワーメータにより、保守点検に必要な各種積算使用時間（生産後の装置積算使用時間、整備後の積算使用時間、主要部品の積算使用時間等）を表示させ、保守点検者が表示切り替えスイッチにより、これらの積算使用時間を確認できるような酸素濃縮装置である。
【００１１】
かかるアワーメータは、図５に示すように酸素濃縮装置の電源を入れるとＣＰＵからカウント開始信号がカウンタに送られ、本体電源で駆動する発信器からの信号を基に積算時間のカウントを開始する。本発明の酸素濃縮装置では、複数のカウンタと、表示切り替え器および表示器を備え、複数のカウンタに記憶された積算使用時間を表示切り替え器によって順次切り替え表示する機能を備える。カウンタ、表示切り替え器、デコーダ、表示器等はバッテリ駆動の常時駆動とする。
【００１２】
カウンタが記憶する積算時間は、酸素濃縮装置の生産後の総積算時間、酸素濃縮装置の積算使用時間、及び酸素濃縮装置の交換対象部品の積算使用時間である。酸素濃縮装置の積算使用時間とは、使用者宅での酸素濃縮装置の積算使用時間、整備後の酸素濃縮装置の使用時間である。かかる交換対象部品とは、吸着型酸素濃縮装置の場合には、吸着材、コンプレッサが挙げられる。
【００１３】
アワーメータの表示器は、液晶、ＬＥＤ表示など各種表示手段を採用することが出来る。そして最上位桁に各種積算使用時間を識別するための数字を表示させ、以降の桁に積算使用時間を表示することができる。各積算使用時間は装置内のカウンタに記憶されており、表示切り替えスイッチを押すことにより、各積算使用時間を読み出し、デコーダを介して表示器に識別子と積算使用時間を表示する。
【００１４】
主要交換対象部品の積算使用時間は、保守点検者が部品交換を行う際に、対象部品の積算使用時間をリセットし、交換後部品の積算使用時間のカウントを開始する。このため、対象の積算使用時間以外の積算使用時間を誤ってリセットしないようにすることが必要となる。
【００１５】
本発明の装置では、アワーメータの表示器は装置の外装に設置されているが、アワーメータのリセットスイッチは装置内部に設置されている。これにより酸素濃縮装置を使用する患者等最終使用者は積算時間の表示の確認は行えるが、積算使用時間のリセットは行うことができない。
【００１６】
保守点検作業者においては、各々の知識、熟練度等により、取り扱いが可能な部品が限定されていることが一般的である。そのため、保守点検作業者の誤ったリセット操作も防止する必要がある。本発明の装置では、装置内部に設置されたリセットスイッチは、装置の外装カバーを取り外すことにより、一般の保守点検者でもリセット操作が可能であるが、部品交換に高度の知識、熟練度が必要な部品についての積算使用時間のリセットスイッチは、特殊工具で締結された保護カバーにより保護されており、特殊工具を配布された熟練した保守点検者のみが、保護カバーを取り外すことにより、交換部品のリセット操作が可能である。積算使用時間のリセット保護の方法としては、電気的切り替えスイッチを使用する方法、特定の外部端末のみにリセット機能を持たせる方法等の電気的手段を用いてもよい。
【００１７】
従って、患者等の最終使用者は積算使用時間の表示確認を行うことが出来、リセットは出来ない。保守点検作業者のうち装置の設置など簡易作業を行う作業者は、装置内に設けた表示切り替えスイッチを押すことが出来、装置の積算使用時間、整備後の積算使用時間、吸着材、コンプレッサなどの交換部品の積算使用時間を順次確認することが出来る。またリセットスイッチにより装置の積算使用時間はリセット可能であるが、交換部品の積算使用時間に関してはリセットすることが出来ない。一方、熟練した保守点検作業者は装置の総積算使用時間以外は全ての積算使用時間を確認およびリセットすることが出来る。
【実施例】
【００１８】
［実施例１］
本願発明を図面を用いて更に詳細に説明する。表１に本願発明の酸素濃縮器のアワーメータに表示させる各積算使用時間の例を示す。かかる表１は、本発明の酸素濃縮器のアワーメータに表示する積算使用時間の種類及びその定義を表す一覧表である。表示させる積算使用時間の種類としては、本例以外の積算使用時間も対象とすることが可能である。
【００１９】
【表１】
2006280471.tif 000003
【００２０】
表２に最終使用者及び保守点検者が実施する確認及びリセットの実施範囲の例を示す。かかる表２は、本発明の酸素濃縮器を使用する最終使用者及び保守点検者が実施する積算使用時間確認及びリセットの実施範囲の例の一覧表である。
【００２１】
【表２】
2006280471.tif 000004
【００２２】
表２の保守点検者Ａは、表１の定義の積算使用時間のみリセットが許可されている。これに対して高度な知識、技術を有する保守点検者Ｂは吸着材の交換、コンプレッサの交換等も実施することができ、それら部品の交換時もしくは整備時に、対応する積算使用時間をリセットする。
【００２３】
図１に本願発明の酸素濃縮装置の概略図を示す。酸素濃縮器(1)の外装表面にアワーメータ(2)を設ける。アワーメータの表示切り替えスイッチ及びリセットスイッチが設けられたスイッチユニット(11)は、装置内部に設置する。保守点検者は、工具を用いて外装ケース(3)を外し、表示の切り替えもしくはリセットスイッチの操作を行う。従って、最終使用者はアワーメータの表示の確認は行えるが、表示の切り替え、リセットは実施できない。
【００２４】
図２にアワーメータのスイッチユニットの詳細を示す。保守点検者Ａは、表示切り替えスイッチＡ(4)を押すことにより、積算使用時間、整備後積算使用時間、吸着材積算使用時間、コンプレッサ積算使用時間を順次、表示させることにより各時間を確認できる。リセットスイッチＡ(5)は、表１の定義の積算使用時間を表示させている時のみ作動し、保守点検者Ａは必要に応じて積算使用時間をリセットできる。表示スイッチＢ(6)及びリセットスイッチＢ(7)は、特殊ボルト(9)により締結された保護カバー(8)で保護されており、予め特殊ボルト(9)専用の特殊工具を配布された保守点検者Ｂのみが、保護カバー(8)を取り外すことが可能で、表示スイッチＢ(6)及びリセットスイッチＢ(7)を操作できる。保守点検者Ｂは表示切り替えスイッチＢ(6)を押すことにより、総積算使用時間、積算使用時間、整備後積算使用時間、吸着材積算使用時間、コンプレッサ積算使用時間を順次、表示させることにより、各時間を確認できる。また、総積算使用時間以外の積算使用時間は、リセットスイッチＢ(7)により、リセットすることができる。
【００２５】
表２の例では保守点検者Ａと保守点検者Ｂの表示確認を許可する範囲が異なるため、表示切替スイッチＡ(4)の他に保護カバー(8)で保護された表示切り替えスイッチＢ(6)を設けたが、保守点検者Ａと保守点検者Ｂの表示確認を許可する範囲を同一とする場合には、表示切り替えスイッチＢ(6)を設ける必要がなく、表示切り替えスイッチＡ(4)のみで兼用できる。
【００２６】
表３に本発明の酸素濃縮装置に用いるアワーメータの表示切り替えスイッチを押す回数と表示の関係を表す。表示切り替えスイッチを押す回数により、表示が切り替わる。
【００２７】
【表３】
2006280471.tif 000005
【００２８】
図３にアワーメータの表示の例を示す。アワーメータの最上位の桁(10)には、表示中の各時間の識別を表す数字を表示し、表３のスイッチを押す回数と連動するようにする。図３の例では最上位の桁(10)が「３」なので、コンプレッサ積算使用時間を表し、積算使用時間が、１２３４[時間]であることを表す。なお、本実施例では、表示識別桁１桁、積算使用時間５桁の計６桁の例を示したが、桁数は必要に応じて変更可能である。
【００２９】
［実施例２］
実施例１では、積算使用時間のリセット保護の方法として保護カバーを用いた機械的手段を用いる方法についての一例を示したが、本実施例では電気的手段を用いたリセット保護の方法を、図面を用いて詳細に示す。
【００３０】
図４に電気的切り替えスイッチを備えるアワーメータのスイッチユニットを示す。図４の例では、ジャンパー(16)はピンＡ(13)とピンＢ(14)を短絡している。この状態では、表示切り替えスイッチＡ(4)及びリセットスイッチＡ(5)のみが動作し、表示切り替えスイッチＢ(6)及びリセットスイッチＢ(7)は動作しない。熟練度が高い保守点検者Ｂはジャンパー(16)を切り替えることが許可されており、ジャンパー(16)でピンＢ(14)とピンＣ(15)を短絡させることで、表示切り替えスイッチＢ(6)及びリセットスイッチＢ(7)が動作するように切り替えることができる。
【００３１】
外部端末を使用する場合は、ジャンパーを使用した切り替えスイッチ(12)、表示切替スイッチＢ(6)、リセットスイッチＢ(7)を設ける必要がなく、外部端末を配布された保守点検者Ｂのみが、外部端末を用いて、表示切替スイッチＢ(6)、リセットスイッチＢ(7)の機能を代用できる。
【図面の簡単な説明】
【００３２】
【図１】本発明の酸素濃縮器の概略図である。
【図２】本発明に係るアワーメータのスイッチユニットの詳細図である。
【図３】本発明に係るアワーメータの表示の例である。
【図４】本発明に係るアワーメータの電気的切替スイッチを備えるスイッチユニットの詳細図である。
【図５】本発明に係るアワーメータの概略構成図。
【符号の説明】
【００３３】
１  酸素濃縮器
２  アワーメータ
３  外装ケース
４  表示切替スイッチＡ
５  リセットスイッチＡ
６  表示切替スイッチＢ
７  リセットスイッチＢ
８  保護カバー
９  特殊ボルト
１０  アワーメータの最上位桁表示
１１  アワーメータのスイッチユニット（装置内部）
１２  ジャンパーを使用した切替スイッチ
１３  ピンＡ
１４  ピンＢ
１５  ピンＣ
１６  ジャンパー
【図１】
2006280471.tif 000006
【図２】
2006280471.tif 000007
【図３】
2006280471.tif 000008
【図４】
2006280471.tif 000009
【図５】
2006280471.tif 000010